(57)【特許請求の範囲】
【請求項１】
リンク群を介して接続された複数のネットワークエンティティと、該複数のネットワークエンティティと通信リンクを介して接続されたネットワークマネージメントシステムとを備えたネットワークシステムにおいて、
前記複数のネットワークエンティティの各々は、
プロトコルおよび前記リンク群、前記通信リンクを管理・制御するエンティティ通信手段と、
他のネットワークエンティティ向けのリンク群をネットワークエンティティ別にリンク情報として記憶するリンク情報記憶部と、
該リンク情報記憶部に記憶されている前記リンク情報を使用して、前記エンティティ通信手段を介して、前記リンク群の内の１つを順次選択し、該選択した１つのリンクを介して前記他のネットワークエンティティに応答要求メッセージを送信し、該他のネットワークエンティティからの応答メッセージを前記選択した１つのリンクを受信出来たか否かにより、前記他のネットワークエンティティを監視すると共に、前記他のネットワークエンティティからの応答要求メッセージによる監視に前記エンティティ通信手段を介して応答メッセージを返信することで応答する監視部とを備え、
前記ネットワークマネージメントシステムは、
プロトコルおよび前記通信リンクを管理・制御するマネージメント通信手段と、
前記ネットワークシステムのトポロジー情報を記憶するトポロジー情報記憶部と、
該トポロジー情報記憶部に記憶されている前記トポロジー情報に基づいて、前記監視部から前記エンティティ通信手段を介して送信され前記マネージメント通信手段で受信した信号を処理して、前記ネットワークエンティティの障害を判断し前記ネットワークシステムを管理するネットワーク管理部とを備え
たことを特徴とするネットワークシステム。
【請求項２】
リンク群を介して接続された複数のネットワークエンティティと、該複数のネットワークエンティティと通信リンクを介して接続されたネットワークマネージメントシステムとを備えたネットワークシステムにおいて、
前記複数のネットワークエンティティの各々は、
プロトコルおよび前記リンク群、前記通信リンクを管理・制御するエンティティ通信手段と、
予め自ネットワークエンティティの有する回線情報を保存するエンティティ・トポロジー情報記憶部と、
該エンティティ・トポロジー情報記憶部に記憶されている前記回線情報を用いて、近隣のネットワークエンティティとリンクを確立し、そのリンク状態等を交換してトポロジー情報を構築していくダイナミックルーティング部と、
前記構築されたトポロジー情報を使用して、前記エンティティ通信手段を介して、前記リンク群の内の１つを順次選択し、該選択した１つのリンクを介して他のネットワークエンティティに応答要求メッセージを送信し、該他のネットワークエンティティからの応答メッセージを前記選択した１つのリンクを受信出来たか否かにより、前記他のネットワークエンティティを監視すると共に、前記他のネットワークエンティティからの応答要求メッセージによる監視に前記エンティティ通信手段を介して応答メッセージを返信することで応答する監視部とを備え、
前記ネットワークマネージメントシステムは、
プロトコルおよび前記通信リンクを管理・制御するマネージメント通信手段と、
前記ネットワークシステムのトポロジー情報を記憶するマネージメント・トポロジー情報記憶部と、
該マネージメント・トポロジー情報記憶部に記憶されている前記トポロジー情報に基づいて、前記監視部から前記エンティティ通信手段を介して送信され前記マネージメント通信手段で受信した信号を処理して、前記ネットワークエンティティの障害を判断し前記ネットワークシステムを管理するネットワーク管理部とを備え
たことを特徴とするネットワークシステム。
【請求項３】
リンク群を介して接続された複数のネットワークエンティティと、該複数のネットワークエンティティと通信リンクを介して接続されたネットワークマネージメントシステムとを備えたネットワークシステムにおいて、
前記複数のネットワークエンティティの各々は、
プロトコルおよび前記リンク群、前記通信リンクを管理・制御するエンティティ通信手段と、
前記リンク群の情報をスタティックルーティング情報として記憶するスタティックルーティング情報記憶部と、
該スタティックルーティング情報記憶部に記憶された前記スタティックルーティング情報を使用して、前記エンティティ通信手段を介して、前記リンク群の内の１つを順次選択し、該選択した１つのリンクを介して前記他のネットワークエンティティに応答要求メッセージを送信し、該他のネットワークエンティティからの応答メッセージを前記選択した１つのリンクを受信出来たか否かにより、前記他のネットワークエンティティを監視すると共に、前記他のネットワークエンティティからの応答要求メッセージによる監視に前記エンティティ通信手段を介して応答メッセージを返信することで応答する監視部とを備え、
前記ネットワークマネージメントシステムは、
プロトコルおよび前記通信リンクを管理・制御するマネージメント通信手段と、
前記ネットワークシステムのトポロジー情報を記憶するマネージメント・トポロジー情報記憶部と、
該マネージメント・トポロジー情報記憶部に記憶されている前記トポロジー情報に基づいて、前記監視部から前記エンティティ通信手段を介して送信され前記マネージメント通信手段で受信した信号を処理して、前記ネットワークエンティティの障害を判断し前記ネットワークシステムを管理するネットワーク管理部とを備え
たことを特徴とするネットワークシステム。
【請求項４】
リンク群を介して他のネットワークエンティティと接続されると共に、通信リンクを介してネットワークマネージメントシステムと接続されたネットワークエンティティにおいて前記他のネットワークエンティティを監視する方法において、
前記リンク群の中から順にリンクを選択するステップと、
該選択したリンクが現在使用可能か否かを判断するステップと、
前記選択したリンクが使用可能な場合には、応答要求メッセージを前記選択したリンクを介して送信して、その応答メッセージを待ち合わせるステップと、
前記選択したリンクが使用不可能の場合、前記応答要求メッセージの送信に失敗した場合、または前記応答メッセージを受信出来ない場合に、当該選択したリンクの受信状態を「異常」に設定するステップと、
該選択したリンクを含む同一リンク群内の全てのリンクの受信状態が異常になった場合、前記ネットワークマネージメントシステムに対して異常になった当該リンク群に対応したネットワークエンティティの障害を通知するステップと、
前記選択したリンクを含む同一リンク群の全リンクの受信状態が「異常」の状況下において、前記応答メッセージの結果が正常であった場合、前記ネットワークマネージメントシステムに対して当該リンク群に対応したネットワークエンティティの障害復旧を通知するステップと、
当該リンク群の受信状態を「正常」に設定するステップと
を含むネットワークエンティティ監視方法。
【請求項５】
リンク群を介して他のネットワークエンティティと接続されると共に、通信リンクを介してネットワークマネージメントシステムと接続されたネットワークエンティティに、前記他のネットワークエンティティを監視させるためのプログラムを記録した記録媒体であって、
前記リンク群の中から順にリンクを選択する処理と、
該選択したリンクが現在使用可能か否かを判断する処理と、
前記選択したリンクが使用可能な場合には、応答要求メッセージを前記選択したリンクを介して送信して、その応答メッセージを待ち合わせる処理と、
前記選択したリンクが使用不可能の場合、前記応答要求メッセージの送信に失敗した場合、または前記応答メッセージを受信出来ない場合に、当該選択したリンクの受信状態を「異常」に設定する処理と、
該選択したリンクを含む同一リンク群内の全てのリンクの受信状態が異常になった場合、前記ネットワークマネージメントシステムに対して異常になった当該リンク群に対応したネットワークエンティティの障害を通知する処理と、
前記選択したリンクを含む同一リンク群の全リンクの受信状態が「異常」の状況下において、前記応答メッセージの結果が正常であった場合、前記ネットワークマネージメントシステムに対して当該リンク群に対応したネットワークエンティティの障害復旧を通知する処理と、
当該リンク群の受信状態を「正常」に設定する処理と
をネットワークエンティティに実行させるプログラムを記録したことを特徴とする記録媒体。
【発明の詳細な説明】
【０００１】
【発明の属する技術分野】
本発明は、複数のネットワークエンティティと、それらを管理するネットワークマネージメントシステムとを備えたネットワークシステムに関し、特に、ネットワークエンティティの障害を検出する方法に関する。
【０００２】
【従来の技術】
ネットワークシステムとして、複数のネットワークエンティティ（以下「ＮＥ」とも呼ぶ。）が存在し、それらをネットワークマネージメントシステム（以下「ＮＭＳ」とも呼ぶ。）が管理するようにしたものがある。このようなネットワークシステムにおいては、ＮＥの障害を監視し、検出する必要がある。従来においては、ＮＥ障害監視および検出の方式、システム及び方法として、ＮＭＳからＮＥに対してポーリングを行う方法が採られている。尚、ＮＥはネットワークエレメントとも呼ばれ、ＮＭＳはネットワーク監視装置とも呼ばれる。
【０００３】
従来のネットワークエレメントの障害監視方式の一例が、特開平１０−３０８７６１号公報（以下「先行技術文献」と呼ぶ。）に記載されている。
【０００４】
この先行技術文献に記載されたネットワークエレメントの障害監視方式は、ＮＭＳからＮＥに対してポーリングを行い、ＮＥが収集している隣接ＮＥの情報と接続ポート状態を収集し、別のＮＥにポーリングを行う前に、他の隣接ＮＥから収集した情報で、そのＮＥ方向がｄｏｗｎ状態となっている場合はポーリングを行わず、負荷を軽減する、という方式である。
【０００５】
【発明が解決しようとする課題】
しかしながら、この従来技術文献においては、次のような問題点があった。
【０００６】
第１の問題点は、ＮＭＳからポーリングを行っているため、何らかの理由でＮＭＳの処理負荷が高い場合などには、余計に負担となってしまう、ということである。
【０００７】
第２の問題点は、障害となったＮＥへのポーリングを行わないため、一度障害となったＮＥが障害から復旧した場合に、その検出が遅れる、ということである。
【０００８】
したがって、本発明の課題は、ＮＭＳが自ら監視を行うことなく、ＮＥの障害監視および検出を行う方法を提供することにある。
【０００９】
本発明の他の課題は、ＮＭＳに負担をかけずに、ＮＥの障害監視および障害を検出する方法を提供することにある。
【００１０】
【課題を解決するための手段】
本発明は、上記の目的を達成するために次のような技術的構成を採用する。すなわち、本発明によれば、複数のネットワークエンティティと、複数のネットワークエンティティを管理するネットワークマネージメントシステムとを備えたネットワークシステムにおいて、複数のネットワークエンティティの各々は、隣り合う（隣接する）ネットワークエンティティとの間に存在する複数のリンク（信号路）を用いて、複数のリンクの内の１つを順次選択し、その選択した１つのリンクを介して他のネットワークエンティティに応答要求メッセージを送信し、その他のネットワークエンティティからの応答メッセージを選択した１つのリンクを介して受信出来たか否かにより、他のネットワークエンティティの障害を検出する検出手段と、この検出手段での検出結果をネットワークマネージメントシステムへ送出する手段とを備え、ネットワークマネージメントシステムは、検出結果に基づいて障害を判断する手段を備えることを特徴とするネットワークシステムが得られる。
【００１１】
また、本発明によれば、複数のネットワークエンティティと、複数のネットワークエンティティを管理するネットワークマネージメントシステムとを備えたネットワークシステムにおける、ネットワークエンティティの障害を検出する方法において、複数のネットワークエンティティの各々において、隣り合う（隣接する）ネットワークエンティティとの間に存在する複数のリンク（信号路）を用いて、複数のリンクの内の１つを順次選択し、その選択した１つのリンクを介して他のネットワークエンティティに応答要求メッセージを送信し、その他のネットワークエンティティからの応答メッセージを選択した１つのリンクを介して受信出来たか否かにより、他のネットワークエンティティの障害を検出するステップと、複数のネットワークエンティティの各々において、その検出結果をネットワークマネージメントシステムへ送出するステップと、ネットワークマネージメントシステムにおいて、検出結果に基づいて障害を判断するステップとを含むことを特徴とするネットワークエンティティ障害検出方法が得られる。
【００１２】
【発明の実施の形態】
以下、本発明の実施の形態について図面を参照して詳細に説明する。
【００１３】
まず、図１を参照して、本発明の一実施の形態に係るネットワークエンティティ障害検出方法について説明する。図１は、本発明によるネットワークエンティティ障害検出方法を実現するネットワークシステムを示すブロック図である。図示のネットワークシステムは、複数のネットワークエンティティ（ＮＥ）（図１では１つのネットワークエンティティのみ図示する）１０１と、ネットワークマネージメントシステム（ＮＭＳ）１５１とを有し、ネットワークエンティティ１０１とネットワークマネージメントシステム１５１とは、ＮＥ−ＮＭＳ間通信リンク１２３によって互いに接続されている。
【００１４】
ネットワークエンティティ１０１は、監視機能を実現する監視部１０２と、リンク情報を記憶するリンク情報記憶部１０３と、エンティティ通信手段１０４とから構成され、これらは互いに接続されている。エンティティ通信手段１０４は、リンク群１２１、１２２を介して他のネットワークエンティティ（図示せず）に接続されている。また、エンティティ通信手段１０４は、上記ＮＥ−ＮＭＳ間通信リンク１２３を介してネットワークマネージメントシステム１５１に接続されている。
【００１５】
エンティティ通信手段１０４は、ネットワークノードインタフェース（ＮＮＩ）のプロトコルや、共通管理情報プロトコル（ＣＭＩＰ）等のプロトコル、およびその伝送路等を管理・制御する。リンク情報記憶部１０３は、他ＮＥ向けのリンク群をＮＥ別に保存してある。監視部１０２は、リンク情報記憶部１０３に記憶されているリンク情報を使って他ＮＥを監視すると共に、他ＮＥからの監視に応答する。この中で、エンティティ通信手段１０４は各リンクから受信した監視用のメッセージを監視部１０２へ受け渡し、監視部１０２から渡されたメッセージを指定されたリンクに送信する手段を監視部１０２へ提供している。
【００１６】
一方、ネットワークマネージメントシステム１５１は、マネージメント通信手段１５２と、トポロジー情報を記憶するトポロジー情報記憶部１５３と、ネットワーク管理機能を実現するネットワーク管理部１５４とを有し、ネットワーク管理部１５４は、マネージメント通信手段１５２とトポロジー情報記憶部１５３とに接続されている。
【００１７】
マネージメント通信手段１５２は、共通管理情報プロトコル（ＣＭＩＰ）等のプロトコル及びその伝送路等を管理・制御する。トポロジー情報記憶部１５３はネットワークのトポロジー情報を記憶する。ネットワーク管理部１５４はネットワークを管理する。
【００１８】
マネージメント通信手段１５２は、上記ＮＥ−ＮＭＳ間通信リンク１２３を介してネットワークエンティティ１０１と接続されている。すなわち、ネットワークエンティティ１０１のエンティティ通信手段１０４とネットワークマネージメントシステム１５１のマネージメント通信手段１２３とは、ＮＥ−ＮＭＳ間通信リンク１２３を介して互いに接続されている。
【００１９】
上述したように、本実施の形態では、ＮＥ１０１は他ＮＥ向けのリンク群を、例として２つ、リンク群１２１とリンク群１２２、及びＮＭＳ１３１との間の通信リンク１２３を含む。
【００２０】
図１において、リンク情報記憶部１０３には、他のＮＥに向かう複数のリンクおよびその状態が他のＮＥ毎にリンク情報として保存されている。監視部１０２は、任意の間隔をおいて他ＮＥ毎にリンクを順に１つ選択し、エンティティ通信手段１０４を用いて他ＮＥに応答要求メッセージを送信する。
【００２１】
他のＮＥでは、応答要求メッセージを受信し、監視部はそれに対応する応答メッセージを、エンティティ通信手段を経て受信したものと同一のリンクを介して返信する。
【００２２】
返信された応答メッセージを受信した監視部１０２は、そのＮＥ向けの当該リンクは送信成功として状態を保存し、再び任意の間隔をおいて繰り返す。
【００２３】
監視部１０２が一定時間を置いた後も応答メッセージが受信出来ないときは、当該リンクは送信失敗として状態を保存する。この時、あるＮＥ向けの全てのリンクについて失敗した状態となったとき、監視部１０２はＮＭＳ１５１に対してそのＮＥの障害を通知する。実際にそのＮＥがＮＥ障害である場合には、同様にそのＮＥへのリンクを持った、更に他のＮＥからも同様にＮＭＳ１５１に障害が通知される。
【００２４】
このようにして、本発明では、障害となったＮＥとリンクを持つ、まわりの他ＮＥから障害を監視し、ＮＭＳ１５１に通知することにより、ＮＭＳ１５１ではＮＭＳ１５１自らが監視することなく、障害の通知とトポロジー情報記憶部１５３に記憶されているトポロジー情報と照らし合わせ、あるＮＥが通信および制御不能になったと判断することを可能にする。
【００２５】
図２を参照して、本発明の実施の形態におけるネットワーク構成について説明する。図示の実施の形態では、ＮＥが第１のＮＥ１、第２のＮＥ２、および第３のＮＥ３の３台ある例を示している。各ＮＥ間のリンク群として、第１のＮＥ１と第２のＮＥ２間が第１のリンク群Ｌ１２、第２のＮＥ２と第３のＮＥ３間が第２のリンク群Ｌ２３、第３のＮＥ３と第１のＮＥ１間が第３のリンク群Ｌ３１で構成されている。また、それぞれのリンク群、例えば第３のリンク群Ｌ３１は各リンクＬ３１１、Ｌ３１２、Ｌ３１３から構成されており、各リンク群の情報は各ＮＥのリンク情報に保存されている。尚、この図上ではＮＭＳは省略されている。
【００２６】
以上詳細に実施の形態の構成について説明したが、図１のエンティティ通信手段１０４及びマネージメント通信手段１５２、ＮＭＳ１５１は、当業者にとってよく知られており、また本発明とは直接関係しないので、その詳細な構成は省略する。
【００２７】
なお、上記実施の形態では、他ＮＥ向けのリンク群はＮＥ毎に２つ、リンク群に含まれるリンク数は１から３としたが、それぞれ数に制限はないことは勿論である。
【００２８】
次に、図１の監視部１０２の動作を、図２における第３のＮＥ３の動作として図３に示すフローチャートを使用して説明する。
【００２９】
第３のＮＥ３の監視部１０２は、任意の間隔をおいて各ＮＥに対応するリンク群に対してそれぞれ図３に図示した処理を行う。
【００３０】
まず、監視部１０２は、そのリンク群の中から順にリンクを選択する（ステップＰ１）。そして、監視部１０２は、そのリンクが現在使用可能かどうかを判断する（ステップＰ２）。使用可能な場合、監視部１０２は応答要求メッセージを通信手段１０４を介して送信し、その応答メッセージを待ち合わせる（ステップＰ３）。同一リンク群内の全リンクの受信状態が「異常」の状況下において、その結果が正常であった場合、監視部１０２は、ＮＭＳ１５１（図１）に対してリンク群に対応したＮＥの障害復旧を通知し（ステップＰ５およびＰ６）、受信状態を「正常」に設定し（ステップＰ７）、終了する。終了後、再び任意の間隔をおいて繰り返し、リンクをすべて走査していく。
【００３１】
これに対して、リンクが使用不可能だった場合や、応答要求メッセージの送信に失敗した場合、および応答メッセージが受信出来ない場合には、監視部１０２は受信状態を「異常」に設定する（ステップＰ８）。この時、同一リンク群内の全てのリンクの受信状態が異常になった場合、監視部１０２はＮＭＳに対してリンク群に対応したＮＥの障害を通知する（ステップＰ９及びＰ１０）。
【００３２】
次に、具体例を用いて本実施の形態の動作について説明する。
【００３３】
図２の第３のＮＥ３は、任意の間隔毎に第１のＮＥ１への第３のリンク群Ｌ３１と、第２のＮＥ２への第２のリンク群Ｌ２３に対して処理を行う。現在、全てのリンク群の全てのリンクの受信状態が正常だとする。
【００３４】
この状態において、例えば第３のリンク群Ｌ３１のリンクＬ３１１に対して処理を行った結果が異常で、同様にリンクＬ３１２、リンクＬ３１３と処理を行った結果も異常だったとする。この場合、第３のＮＥ３はＮＭＳ１５１に対して第１のＮＥ１の障害を通知する。仮に第１のＮＥ１が本当に障害だったならば、第２のＮＥ２から見た第１のＮＥ１向け第１のリンク群Ｌ１２の全てのリンク、ここではリンクＬ１２の状態も異常になり、第２のＮＥ２はＮＭＳ１５１に対して第１のＮＥ１の障害を通知する。ＮＭＳ１５１では、第１のＮＥ１は第３のＮＥ３と第２のＮＥ２と接続されている事を、前もってトポロジー情報記憶部１５３にトポロジー情報として保存しているため、第２のＮＥ２と第３のＮＥ３とから第１のＮＥ１が障害と通知を受けた時点で、第１のＮＥ１の真の障害を判断する事ができる。
【００３５】
但し、ここで第３のＮＥ３は必ずしも同時に複数のリンク群に対して処理を行う必要はなく、それぞれのリンク群毎に独立したタイミングを持って処理を行っても良い。
【００３６】
本発明の他の実施の形態として、その基本的構成は上記の通りであるが、リンク群の設定の仕方についてさらに工夫している。その構成例を図４に示す。本図は、ある２つのＮＥ、ここでは第１のＮＥ１と第２のＮＥ２の間に着目した図である。第１のＮＥ１と第２のＮＥ２の間には、リンクを通すがリンク上のメッセージ疎通内容に直接は干渉しないＮＥ、例えばクロスコネクト装置（ＸＣ）や信号転送局（ＳＴＰ）等を想定して、第３のＮＥ３、第４のＮＥ４、第５のＮＥ５がある。このようにリンクを形成する伝送路上にＸＣ等が存在する場合、ＮＥ間に設定できるリンクのパターンが増加し、リンク群Ｌ１２内のリンクは様々な伝送路を通す事ができる。
【００３７】
つまり、本実施の形態のような構成を取り、更に多数のＮＥでネットワークを構成している状態で同様の監視を行うことで、ＮＥ障害の監視が、伝送路の障害から受ける影響を少なくすることができる、という効果が得られる。
【００３８】
更に他の実施の形態として、リンク情報の設定の仕方についてさらに工夫をしている。その構成を図５に示す。図示のネットワークエンティティ１０１Ａでは、リンク情報記憶部１０３の代りにトポロジー情報を記憶するエンティティ・トポロジー情報記憶部１０８で置き換えられ、新たにダイナミックルーティング機能を実現するダイナミックルーティング部１０５が加わっている点で、図１に示したネットワークエンティティ１０１と異なる。監視部１０２、エンティティ・トポロジー情報記憶部１０８、およびダイナミックルーティング部１０５によって制御装置１０７が構成される。
【００３９】
エンティティ・トポロジー情報記憶部１０８には、あらかじめ自ＮＥの有する回線情報がトポロジー情報として保存されている。ダイナミックルーティング部１０５は、この回線情報を用いて、近隣のＮＥとリンクを確立し、そのリンク状態等を交換してトポロジー情報を構築していく。このダイナミックルーティング部１０５で実現されるダイナミックルーティング機能と、トポロジー情報記憶部１０８に記憶されるトポロジー情報は、当業者にとってよく知られており、また本発明とは直接関係しないので、その詳細な構成については省略する。
【００４０】
監視部１０２は、トポロジー情報記憶部１０８に記憶されている、構築されたトポロジー情報を用いて、先の実施の形態と同様に対向するＮＥ毎に、つまりリンク群毎に監視処理を行う。
【００４１】
このように、トポロジー情報を形成する他の機能と組み合わせて実施することで、ＮＥ障害の監視のためだけに、リンク情報を用意することなくＮＥ監視を行える、という効果が得られる。
【００４２】
また、本実施の形態では、トポロジー情報からリンク情報を得て監視機能を実行するが、監視のために用いた応答メッセージに相当するような、頻繁に他のＮＥと連絡を取り合う機能が、他の機能、例えばダイナミックルーティング機能で提供され、利用できるならば、監視機能はその結果だけを用いてＮＭＳに通知しても良い。
【００４３】
本実施の形態では、ダイナミックルーティング機能とエンティティ・トポロジー情報を使うとしたが、その代りに、スタティックルーティングを行う機能で使用する、スタティックルーティング情報からリンク群の情報を得ても同様の効果が得られる。
【００４４】
更に他の実施の形態について、図５に示す構成を参照して説明する。本図では、監視プログラムを記録した記録媒体１０６を備える。この記録媒体１０６は磁気ディスク、磁気テープ、半導体メモリその他の記録媒体であってよい。監視プログラムは、ＮＥの制御装置１０７に読み込まれ、制御装置１０７の動作を制御する。制御装置１０７は、監視プログラムの制御により、これまでの実施の形態と同一の処理を実行する。
【００４５】
尚、本発明は、上述した実施の形態に限定されず、本発明の要旨を逸脱しない範囲内で種々の変更が可能なのはいうまでもない。
【００４６】
【発明の効果】
以上説明したように、本発明においては、以下に記載するような効果を奏する。
【００４７】
第１の効果は、通常、ＮＥ間で設定されているリンクを用いて、ＮＥ同士が監視するだけで、ＮＭＳが自ら全てのＮＥに対して監視をすることなく、ＮＥの障害を検出することができる、ということである。
【００４８】
第２の効果は、ＮＥとＮＭＳの間の通信リンク断が生じている間にも、ＮＥが監視を行っているため、他のＮＭＳ、もしくは他の通信リンクを用いてＮＥの障害が検出できる、ということである。
【００４９】
第３の効果は、あるＮＥが持つ全てのリンクが断することを以て、ＮＥの障害として位置づけるため、伝送路及び伝送装置の障害、およびＮＥ内の伝送装置以外の制御装置等の故障を含め、実質的にＮＥが機能できない状態を障害として扱うことができる、ということである。
【図面の簡単な説明】
【図１】本発明の実施の形態によるネットワークエンティティ障害方法を実現するネットワークシステムをブロック図である。
【図２】本発明の実施の形態を示すネットワークの構成図である。
【図３】本発明の実施の形態の動作を示す流れ図（フローチャート）である。
【図４】本発明の他の実施の形態を示すリンク構成図である。
【図５】本発明の更に他の実施の形態を示すブロック図である。
【符号の説明】
１０１，１０１Ａ    ネットワークエンティティ（ＮＥ）
１０２    監視部（監視機能）
１０３    リンク情報記憶部
１０４    エンティティ通信手段
１０５    ダイナミックルーティング部（ダイナミックルーティング機能）
１０６    記録媒体
１０７    制御装置
１０８    エンティティ・トポロジー情報記憶部
１２１，１２２    リンク群
１２３    ＮＥ−ＮＭＳ間通信リンク
１５１    ネットワークマネジメントシステム（ＮＭＳ）
１５２    マネージメント通信手段
１５３    トポロジー情報記憶部（マネージメント・トポロジー情報記憶部）
１５４    ネットワーク管理部（ネットワーク管理機能）
１〜５    ネットワークエンティティ（ＮＥ）
Ｌ１２，Ｌ２３，Ｌ３１    リンク群
Ｌ１２１，Ｌ２３１，Ｌ２３２，Ｌ３１１，Ｌ３１２，Ｌ３１３    リンク
【図１】
0003542980.tif 000002
【図２】
0003542980.tif 000003
【図３】
0003542980.tif 000004
【図４】
0003542980.tif 000005
【図５】
0003542980.tif 000006